(57)【要約】【課題】  ＬＥＤヘッドの感光体ドラム側先端部と感光体ドラムの隙間に粉塵等が進入するのを阻止し、感光体ドラム側先端部への粉塵の付着等を防止可能な露光装置を提供。【解決手段】  感光体ドラムに対向して感光体ドラム上に露光するＬＥＤヘッドを取り付け、ファンにより空気を送風して前記ＬＥＤヘッドを冷却し、前記ＬＥＤヘッドの感光体ドラム側先端部の近傍で、且つ感光体ドラムの回転方向でＬＥＤヘッドに対し上流側および下流側の少なくとも１つに前記空気の吹出開口部を設け、前記吹出開口部より前記ＬＥＤヘッドに対し外側に向けて前記感光体ドラムに空気を吹き付けてエアーカーテンを形成することを特徴とする露光装置。【選択図】        図３
2007071954.tif 000002
【特許請求の範囲】
【請求項１】
感光体ドラムに対向して感光体ドラム上に露光するＬＥＤヘッドを取り付け、
ファンにより空気を送風して前記ＬＥＤヘッドを冷却し、
前記ＬＥＤヘッドの感光体ドラム側先端部の近傍で、且つ感光体ドラムの回転方向でＬＥＤヘッドに対し上流側および下流側の少なくとも一方に前記感光体ドラムの回転と直交する方向に前記空気の吹出開口部を設け、
前記吹出開口部より前記ＬＥＤヘッドに対し外側に向けて前記感光体ドラムに空気を吹き付けてエアーカーテンを形成することを特徴とする露光装置。
【請求項２】
前記吹出開口部の近傍であり、且つ、前記吹出開口部に対しＬＥＤヘッドと反対側に空気を吸気する吸気開口部を設け、
前記吸気開口部より感光体ドラムで跳ね返った空気、および、吸気開口部近傍の空気を吸気して機外に排出することを特徴とする請求項１に記載の露光装置。
【請求項３】
前記エアーカーテンの形成は、前記上流側に吹出開口部を配置する場合、該吹出開口部から吹出開口部を通る感光体ドラムの法線に対して上流側に位置する感光体ドラム表面に向けて空気を吹き付け、また、前記下流側に吹出開口部を配置する場合、該吹出開口部から吹出開口部を通る感光体ドラムの法線に対して下流側に位置する感光体ドラム表面に向けて空気を吹き付けることを特徴とする請求項１に記載の露光装置。
【請求項４】
前記吹出開口部から感光体ドラム表面に向けて空気を吹き付け、感光体ドラムの空気吹き付け位置における感光体ドラムの法線とエアーカーテン方向とのなす角をθとしたとき、θは、２０度から５０度であることを特徴とする請求項３に記載の露光装置。
【請求項５】
前記ＬＥＤヘッドと空気の通路となるダクトとを熱伝導可能でかつ一体的に形成し、前記ファンにより空気をダクト内に送風してダクトを冷却し、冷却されたダクトによりＬＥＤヘッドを冷却することを特徴とする請求項１から４のいずれか１項に記載の露光装置。
【請求項６】
感光体ドラムに対向して前記請求項１から５のいずれか１項に記載の露光装置を備え、前記感光体ドラムの回転方向に対し露光装置の上流側の近傍に感光体ドラムの表面に一様帯電を行う帯電手段、下流側の近傍に感光体ドラム上に現像剤を供給する現像手段を備えたことを特徴とする画像形成装置。
【発明の詳細な説明】
【技術分野】
【０００１】
この発明は、電子写真方式の複写機、プリンタ等の露光装置および該露光装置を用いた画像形成装置に係わり、特に、露光装置におけるＬＥＤヘッドの冷却、防塵、防汚の改良に関する。
【背景技術】
【０００２】
従来より、感光体ドラムに対向して感光体ドラム上に露光するＬＥＤヘッドを設け、ファンにより空気を送風して前記ＬＥＤヘッドを冷却し、さらに空気を送風して前記ＬＥＤヘッドの感光体ドラム側先端部（含む光射出面）に粉塵等が付着するのを防止する技術が知られている。
【０００３】
一従来例の露光装置を図面により説明する。図８は従来例の露光装置の構成を示す断面図（ａ）と変形例（ｂ）である。図８（ａ）に示すように、ファン７１で発生した空気流をフィン７２に吹き付けてＬＥＤヘッド７０を冷却し、さらに空気をレンズアレイ７３の両側面近傍に設けた微少溝７４に送風して、空気をレンズアレイ７３の側面に沿って送風し、感光体ドラムに対し垂直に吹き付けてエアーカーテンを形成し、粉塵等がレンズアレイの光射出面７３ａに付着するのを防止する技術が開示されている。
【０００４】
また、図８（ｂ）に示すように、空気をレンズアレイ７３の両側面近傍に設けた微少溝７４に送風して、サイドカバー７８の下端にレンズアレイ７３に向かうわずかな折曲部を形成し、空気が折曲部に案内されてレンズアレイの光射出面７３ａに向かって噴射されるようにして、光射出面７３ａに粉塵等が付着するのを防止する技術が開示されている（特許文献１）。
【０００５】
さらに、一従来例の他の露光装置を図面により説明する。図９は一従来例の他の露光装置の構成を示す断面図である。図９に示すように、感光体ドラム８４に対向して露光装置８０を設け、図示しないファンにより空気を矢印の方向に送風してＬＥＤヘッド８０に設けたレンズアレイ８２の先端部近傍に設けた開口部８３に送り、さらに空気を感光体ドラム８４とレンズアレイ８２の先端部８２ａとの隙間を横切り、レンズアレイ８２の先端部近傍に設けた開口部８５より吸気してエアーカーテン８６を形成して、レンズアレイ８２の光射出面８２ａに粉塵等が付着するのを防止する技術が開示されている（特許文献２）。
【特許文献１】実公平５−３８３６２号公報
【特許文献２】特開２００１−１３８５７４号公報
【発明の開示】
【発明が解決しようとする課題】
【０００６】
しかしながら、図８（ａ）に示す技術では、空気を感光体ドラム７５対し垂直に吹き付けると、吹き付ける空気と感光体ドラム７５で跳ね返った空気とが衝突しあって風力が減じ、感光体ドラム７５の表面に近づくにつれて空気の流れが弱くなりエアーカーテンによる遮蔽効果が減少しやすい。
【０００７】
また、図８（ｂ）に示す技術では、レンズアレイ７３の光射出面７３ａに向かって噴射される空気が感光体ドラムで跳ね返った空気に粉塵、オゾン等が混入していると、レンズアレイ８２の光射出面８２ａに粉塵、オゾン等が吹き付けられ、光射出面に粉塵が付着したり、オゾンによる光射出面のくもり現象が生じやすいといった問題がある。
【０００８】
また、図９に示す技術では、高密度書き込みを実現するＬＥＤヘッドの場合、焦点距離が約２．５ｍｍと短いため、感光体ドラム８４表面とＬＥＤヘッドの感光体ドラム側先端部８２ａとの隙間は狭いのでエアーカーテンが形成し難く、また、仮にエアーカーテンが形成できても、空気がレンズアレイの光射出面の近傍を横切る際に、光射出面８２ａに粉塵、オゾン等が吹き付けられ、光射出面に粉塵が付着したり、オゾンによる光射出面のくもり現象が生じやすいといったやすいという問題がある。
【０００９】
本発明は上記の課題に鑑みなされたもので、本発明の目的は、吹出開口部よりＬＥＤヘッドに対し外側に向けて感光体ドラムに空気を吹き付けてエアーカーテンを形成し、また、レンズアレイの光射出面への空気の吹き付けをなくして、レンズアレイの光射出面への粉塵、オゾン等による付着、くもり現象等を防止し良好な露光が可能な露光装置および画像形成装置を提供することにある。
【００１０】
本発明の他の目的は、吸気開口部近傍の粉塵、オゾン等を含む空気を吸引して機外に排出可能な露光装置および画像形成装置を提供することにある。
【課題を解決するための手段】
【００１１】
上記の目的は下記の手段により達成される。
【００１２】
（１）感光体ドラムに対向して感光体ドラム上に露光するＬＥＤヘッドを取り付け、ファンにより空気を送風して前記ＬＥＤヘッドを冷却し、前記ＬＥＤヘッドの感光体ドラム側先端部の近傍で、且つ感光体ドラムの回転方向でＬＥＤヘッドに対し上流側および下流側の少なくとも一方に前記感光体ドラムの回転と直交する方向に前記空気の吹出開口部を設け、前記吹出開口部より前記ＬＥＤヘッドに対し外側に向けて前記感光体ドラムに空気を吹き付けてエアーカーテンを形成することを特徴とする露光装置。
【００１３】
（２）前記吹出開口部の近傍であり、且つ、前記吹出開口部に対しＬＥＤヘッドと反対側に空気の吸気開口部を設け、前記吸気開口部より感光体ドラムで跳ね返った空気、および、吸気開口部近傍の空気を吸気して機外に排出することを特徴とする（１）に記載の露光装置。
【００１４】
（３）前記エアーカーテンの形成は、前記上流側に吹出開口部を配置する場合、該吹出開口部から吹出開口部を通る感光体ドラムの法線に対して上流側に位置する感光体ドラム表面に向けて空気を吹き付け、また、前記下流側に吹出開口部を配置する場合、該吹出開口部から吹出開口部を通る感光体ドラムの法線に対して下流側に位置する感光体ドラム表面に向けて空気を吹き付けることを特徴とする（１）に記載の露光装置。
【００１５】
（４）前記吹出開口部から感光体ドラム表面に向けて空気を吹き付け、感光体ドラムの空気吹き付け位置における感光体ドラムの法線とエアーカーテン方向とのなす角をθとしたとき、θは、２０度から５０度であることを特徴とする（３）に記載の露光装置。
【００１６】
（５）前記ＬＥＤヘッドと空気の通路となるダクトとを熱伝導可能でかつ一体的に形成し、前記ファンにより空気をダクト内に送風してダクトを冷却し、冷却されたダクトによりＬＥＤヘッドを冷却することを特徴とする（１）から（４）のいずれか１項に記載の露光装置。
【００１７】
（６）感光体ドラムに対向して前記（１）から（５）のいずれか１項に記載の露光装置を備え、前記感光体ドラムの回転方向に対し露光装置の上流側の近傍に感光体ドラムの表面に一様帯電を行う帯電手段、下流側の近傍に感光体ドラム上に現像剤を供給する現像手段を備えたことを特徴とする画像形成装置。
【発明の効果】
【００１８】
本発明によれば下記のような効果を奏する。即ち、
（１）、（３）、（４）に記載の露光装置の発明によれば、吹出開口部よりＬＥＤヘッドに対し外側に向けて感光体ドラムに空気を吹き付けてエアーカーテンを形成するので、ＬＥＤヘッドの感光体ドラム側先端部と感光体ドラムとの隙間に粉塵等が進入するのを確実に阻止し、また、レンズアレイの光射出面に粉塵、オゾン等が吹き付けらることがなく、感光体ドラム側先端部への粉塵等の付着、オゾン等による汚染、オゾン等による感光体ドラム側先端部にあるレンズアレイの光射出面のくもり等を防止できる。
【００１９】
（２）に記載の露光装置の発明によれば、吸気開口部より上流側および下流側の少なくとも１つからの粉塵等を吸引して機外に排出し、同時に、エアーカーテン形成後の空気を良好に吸引できる。
【００２０】
（５）に記載の露光装置の発明によれば、ダクトとＬＥＤヘッドを熱伝導可能に固定すると、省スペースで効率よく冷却でき温度上昇による焦点移動などの光学特性の変動を防止できる。
【００２１】
（６）に記載の画像形成装置の発明によれば、前述の効果を有する露光装置を備えた画像形成装置になる。
【発明を実施するための最良の形態】
【００２２】
以下、実施の形態に係わる露光装置、および該露光装置を用いた画像形成装置について説明する。なお、画像形成装置を正面より見て上下方向をＹ方向、左右方向をＸ方向、前後方向をＺ方向とする。
【００２３】
最初に、実施の形態に係わる画像形成装置の概略構成について説明する。図１は実施の形態に係わる画像形成装置の概略構成を示す断面図である。
【００２４】
図１に示すように、画像形成装置は、感光体ドラム３０の回転方向３１に対し上流側より、帯電手段５０、露光装置２０、現像手段４０、転写手段６１、除電手段６２、分離手段６３、およびクリーニング手段６４がそれぞれ設けられている。
【００２５】
帯電手段５０によって感光体ドラム３０の表面に一様帯電を行った後に、ＬＥＤヘッドを有する露光装置２０によって、原稿から読み取られた画像データに基づく光照射を行うことによって潜像を形成し、該潜像をバイアスを印加した現像手段４０により反転現像して感光体ドラム３０の表面にトナー像を形成する。
【００２６】
一方、用紙収納手段６５から給紙された用紙Ｐは転写位置へと送られ、転写位置において転写手段６１によりトナー像が用紙Ｐ上に転写される。その後、用紙Ｐは除電手段６２により裏面の電荷が消去され、分離手段６３により感光体ドラム３０から分離され、中間搬送部６６により搬送され、引き続き、定着装置６７により加熱定着され、図示しない排紙皿へ排紙される。一方、感光体ドラム３０の表面は、分離手段６３の下流においてクリーニング手段６４により表面に残留している現像剤が除去されるようになっている。
【００２７】
前記露光装置２０は、空気によりＬＥＤヘッドが冷却され、ＬＥＤヘッドの感光体ドラム側先端部に粉塵等が付着するのを防止するエアーカーテンが形成されるが詳しくは後述する。
【００２８】
（実施の形態１）
実施の形態１に係わる画像形成装置、及び露光装置について説明する。画像形成装置は下記に示す露光装置以外は図１に示す構成と同じである。
【００２９】
図２は実施の形態１に係わる露光装置の概略構成を示す斜視図であり、詳しくは、図２（ａ）は露光装置を上部より見た概略構成を示す斜視図、図２（ｂ）は露光装置を下部方向より見た概略構成を示す斜視図である。図２に示すように、露光装置２０Ａは感光体ドラム３０に対向しＺ方向に配置され、露光装置２０Ａは、図示しない画像形成装置の本体に２箇所の外装部２２１で固定されている。
【００３０】
露光装置２０Ａは、感光体ドラム３０上に露光するＬＥＤヘッド２２、機外より空気を取り入れるファン２３１Ａ、ファンによる空気を送風するダクト２３２ａ、Ｚ方向に沿って設けられた空気の吹出開口部Ｍ１ａ、空気の吸気開口部Ｍ２ａ等がある。
【００３１】
図２（ｂ）に示すように、空気は、感光体ドラム３０の回転軸と平行な方向に設けられた吹出開口部Ｍ１ａから吹き出し、感光体ドラムの回転軸と平行な方向の位置Ｐａに吹き付け、その後空気は跳ね返り、感光体ドラム３０の回転軸と平行な方向に設けられた吸気開口部Ｍ２ａより吸気されるようになっている。なお、図２に示す断面Ａから見た図を図３に示し、断面Ｂから見た図を図４にそれぞれ示す。
【００３２】
次に、実施の形態１に係わる露光装置の構成について説明する。図３は、前述の図２における矢印Ａより見た露光装置２０Ａの構成と要部Ｗの構成を示す図であり、また、図４は、図２における矢印Ｂより見た露光装置２０Ａの構成を示す断面図である。
【００３３】
図３および図４に示すように、ＬＥＤヘッド２２は、外装部２２１、ＬＥＤ２２２、レンズアレイ２２３、基板２２４で構成されて画像データに基づく光照射を感光体ドラム３０に行う。また、外装部２２１は、ＬＥＤヘッド２２、ダクト２３２ａ、ダクト２６２ａ、基板２２４、ファン２３１Ａ（図２参照）およびファン２６１Ａ等をそれぞれ保持する。
【００３４】
また、ＬＥＤヘッド２２は、感光体ドラム３０に対向して設けられ、感光体ドラム側先端部２２ａと感光体ドラム３０表面との間に隙間Ｇ（図３（ｂ））を形成している。
【００３５】
ＬＥＤヘッド２２の冷却は、機外の空気をファン２３１Ａ（図４）により取り入れ、取り入れた空気をダクト２３２ａにより送風し、送風によりダクト２３２ａ自身を冷却し、冷却されたダクト２３２ａにより、ダクト２３２ａと熱伝導可能に固定されたＬＥＤヘッド２２（図３）を冷却する。なお、固定は、ダクト２３２ａとＬＥＤヘッド２２とを接着、または図示しない固定部材で固定される。なお図中の２４１は固定されている部分を示している。
【００３６】
また、空気の吹出開口部Ｍ１ａは、ＬＥＤヘッド２２の感光体ドラム側先端部２２ａの近傍にあり、さらに、吹出開口部Ｍ１ａ（図３）は、感光体ドラム３０の回転方向３１でＬＥＤヘッド２２に対し上流側ＵＳに設けている。ダクト２３２ａの先端部に吹出開口部Ｍ１ａ（図３）を形成している。
【００３７】
エアーカーテンＥａ（図３）は、吹出開口部Ｍ１ａよりＬＥＤヘッド２２に対し外側に向けて感光体ドラム３０に空気を吹き付けて形成する。粉塵、オゾン等が感光体ドラム側先端部２２ａと感光体ドラム３０表面との隙間Ｇに上流側ＵＳから進入するのをエアーカーテンＥａにより阻止する。
【００３８】
このエアーカーテンＥａは、好ましくは、吹出開口部Ｍ１ａから吹き出された空気が、吹出開口部Ｍ１ａを通る感光体ドラム３０の法線Ｎに対し上流側ＵＳにある感光体ドラム３０表面で回転方向３１と直交する方向（Ｚ方向）の直線状位置（単に位置とも言う）Ｐａに向けて吹き付ける。
【００３９】
図３の断面図において、感光体ドラム３０の位置Ｐａにおける法線ｎと、上流側のエアーカーテンＥａとのなす角を上流側のエアーカーテンの傾きθａと定義すると、好ましい傾きθａは、２０度から５０度であり、この範囲にあると、位置Ｐａに吹き付ける空気と、位置Ｐａより跳ねかえる空気との衝突が少なく、エアーカーテンの流を良好に形成できるようになり、また、レンズアレイ２２３の光射出面２２３ａへ空気が吹き付けられることがなくなる。
【００４０】
この範囲を超えて傾きθａが小さすぎると、吹出開口部Ｍ１ａより吹き付ける空気と、感光体ドラム３０で跳ね返った空気とが衝突しやすいので風力が減じやすく、カーテンによる遮蔽効果が減少しやすい。また、この範囲を超えて傾きθａが大きすぎると、感光体ドラム３０の回転方向３１でのエアーカーテンの占める割合が大きくなる。傾きθａは、さらに好ましくは、傾きθａは３０度から４０度である。
【００４１】
また、この吸気開口部Ｍ２ａは、感光体ドラム３０の位置Ｐａの近傍にあり、吹出開口部Ｍ１ａと対向して設けられている。吸気開口部Ｍ２ａは感光体ドラム３０の位置Ｐａで跳ね返った空気が吸気され、さらに帯電手段５０からの粉塵、オゾン等を吸気する。吸気開口部Ｍ２ａから吸気された空気等は、ダクト２６２ａを通りファン２６１Ａ（図４）により機外へ放出される。
【００４２】
レンズアレイ２２３の光射出面２２３ａに悪影響を与えるものとして、例えば、オゾン、トナー、紙粉などがある。なお、光射出面２２３ａは、オゾンによる生成物でくもることがある。
【００４３】
次に、実施の形態１の露光装置の動作について図３および図４を参照して説明する。図４に示すように、機外より空気をファン２３１Ａにより吸い込む。図３に示すように、吸い込まれた空気はダクト２３２ａに導かれダクト２３２ａ自身を冷却し、冷却されたダクト２３２ａにより熱伝導可能に固定されているＬＥＤヘッド２２を冷却する。
【００４４】
次に、冷却に使用された空気は、さらに吹出開口部Ｍ１ａに送られ、吹出開口部Ｍ１ａより感光体ドラム３０の位置Ｐａに向けて吹き出され、この間でエアーカーテンＥａを形成する。このエアーカーテンＥａにより、上流側ＵＳにある例えば帯電手段５０で発生するオゾンの生成物、また粉塵等が隙間Ｇ内に進入するのを阻止する。
【００４５】
また、感光体ドラムの位置Ｐａで跳ね返った空気は、ファン２６１Ａ（図４）により吸気開口部Ｍ２ａから吸引され、同時に、帯電手段５０近傍の粉塵等も吸気開口部Ｍ２ａより吸引され、ダクト２６２ａを通り機外に放出される。
【００４６】
以上の説明のように、実施の形態１によれば、吹出開口部よりＬＥＤヘッドに対し外側に向けて感光体ドラムに空気を吹き付けてエアーカーテンを形成するので、隙間Ｇに、上流側から粉塵等が進入するのを確実に阻止し、また、レンズアレイの光射出面に粉塵、オゾン等が吹き付けらることがなく、感光体ドラム側先端部（含むレンズアレイの光射出面）への粉塵等の付着、オゾン等によるレンズアレイの光射出面のくもりの発生等を防止できる。
【００４７】
また、吸気開口部Ｍ２ａより帯電手段から発生するオゾン等は吸引されて機外に排出され、同時に、エアーカーテン形成後の空気を吸引して、エアーカーテンの流れを良好に形成できるようになる。
【００４８】
さらに、ダクトとＬＥＤヘッドを熱伝導可能に固定することで省スペースで効率よく冷却でき、さらに、ＬＥＤヘッド自身の発熱や周辺の温度上昇による焦点移動などの光学特性の変動を防止できるようになる。
【００４９】
（実施の形態２）
実施の形態２に係わる画像形成装置の露光装置について説明する。図５は実施の形態２に係わる画像形成装置における露光装置の構成の一部を示す図である。
【００５０】
実施の形態２の構成は、図３に示す実施の形態１の構成を光軸Ｌに対し線対称な構成となっている。実施の形態１と機構的に同じ部分は説明を一部省略し異なる部分を中心に説明する。
【００５１】
図５は露光装置２０ＢのＺ方向と直交する方向での部分構成断面図である。図５に示すように、感光体ドラム３０の回転方向３１に対し、露光装置２０Ｂの下流側ＬＳに現像手段４０が設置されている。また、エアーカーテンＥｂは、それぞれ実施の形態１のエアーカーテンＥａと機構的に同じである。同様に、ダクト２３２ｂ、ダクト２６２ｂ、吹出開口部Ｍ１ｂ、吸気開口部Ｍ２ｂ、位置Ｐｂ、傾きθｂは、実施の形態１のダクト２３２ａ、ダクト２６２ａ、吹出開口部Ｍ１ａ、吸気開口部Ｍ２ａ、位置Ｐａ、傾きθａと機構的に同じである。
【００５２】
さらに、ダクト２３２ｂ、ダクト２６２ｂにつながるファンは、実施の形態１のファン２３１Ａ（図４参照）、ファン２６１Ａと同様である。
【００５３】
以上の説明のように実施の形態２によれば、吹出開口部ｍ
Ｍ１ｂよりＬＥＤヘッドに対し外側に向けて感光体ドラムに空気を吹き付けてエアーカーテンを形成するので、前記隙間Ｇに、下流側から粉塵等が進入するのを確実に阻止し、また、レンズアレイの光射出面に粉塵、オゾン等が吹き付けらることがなく、感光体ドラム側先端部２２ａ（含むレンズアレイの光射出面）への粉塵等の付着、また粉塵等によるレンズアレイの光射出面のくもり発生等を防止できる。
【００５４】
また、吸気開口部Ｍ２ｂより現像手段４０から遊離したトナー等の粉塵等は吸引されて機外に排出され、同時に、エアーカーテン形成後の空気を吸引して、エアーカーテンの流れが良好に形成できるようになる。
【００５５】
さらに、ダクトとＬＥＤヘッドを熱伝導可能に固定することで省スペースで効率よく冷却でき、さらに、ＬＥＤヘッド自身の発熱や周辺の温度上昇による焦点移動などの光学特性の変動を防止できるようになる。
【００５６】
（実施の形態３）
次に、実施の形態３は前述の実施の形態１と実施の形態２の構成を組み合わせた構成となっている。実施の形態１、２と機構的に同じ部分は説明を一部省略し異なる部分を中心に説明する。
【００５７】
図６は、実施の形態３に係わる画像形成装置における露光装置の構成の一部を示す断面図であり、図７は図６における断面ＣＣの構成を示す断面図である。
【００５８】
図６および図７に示すように、機外の空気をファン２３１Ｃにより露光装置２０Ｃ内に取り込み、ダクト２３２ａにより送風する。ＬＥＤヘッド２２（図６）を冷却し、エアーカーテンＥａを形成し、その後、空気はダクト２６２ａ内を通りファン２６１Ｃにより機外に放出する。
【００５９】
同様に、機外の空気をファン２３１Ｃにより露光装置２０Ｃ内に取り込み、ダクト２３２ｂにより送風する。ＬＥＤヘッド２２を冷却し、エアーカーテンＥｂを形成し、その後、空気はダクト２６２ｂ内を通りファン２６１Ｃにより機外に放出するようになっている。
【００６０】
以上の実施の形態３によれば、吹出開口部よりＬＥＤヘッドに対し外側に向けて感光体ドラムに空気を吹き付けてエアーカーテンを形成するので、隙間Ｇに、上流側、下流側の両方から粉塵等が進入するのを確実に阻止し、また、レンズアレイの光射出面に粉塵、オゾン等が吹き付けらることがなく、感光体ドラム側先端部（含むレンズアレイの光射出面）への粉塵等の付着、オゾン等によるレンズアレイの光射出面のくもり等を防止できる。また、帯電手段から発生するオゾン等、現像手段近傍に浮遊するトナー等の粉塵等は吸引されて機外に排出され、同時に、エアーカーテン形成後の空気を吸引して、エアーカーテンの流れを良好に形成できるようになる。
【００６１】
さらに、ダクトとＬＥＤヘッドを熱伝導可能に固定することで省スペースで効率よく冷却でき、さらに、ＬＥＤヘッド自身の発熱や周辺の温度上昇による焦点移動などの光学特性の変動を防止できるようになる。
【００６２】
なお、本発明は説明した実施の形態に限定されるものではない。例えば、実施の形態は複写機について説明したが、プリンタについても同様である。
【図面の簡単な説明】
【００６３】
【図１】実施の形態に係わる画像形成装置の概略構成を示す断面図である。
【図２】実施の形態１に係わる画像形成装置における露光装置の概略構成を示す斜視図である。
【図３】図２における矢印Ａより見た露光装置の構成と要部Ｗの構成を示す図である。
【図４】図２における矢印Ｂより見た露光装置の構成を示す断面図である。
【図５】実施の形態２に係わる画像形成装置における露光装置の構成の一部を示す断面図である。
【図６】実施の形態３に係わる画像形成装置における露光装置の構成の一部を示す断面図である。
【図７】図６の断面ＣＣの構成を示す断面図である。
【図８】一従来例の露光装置の構成を示す断面図である。
【図９】一従来例の他の露光装置の構成を示す断面図である。
【符号の説明】
【００６４】
２０  露光装置
２２  ＬＥＤヘッド
Ｅａ  上流側のエアーカーテン
Ｅｂ  下流側のエアーカーテン
３０  感光体ドラム
４０  現像手段
５０  帯電手段
Ｇ  隙間
２２ａ  感光体側先端部
Ｎ  法線
Ｍ１ａ、Ｍ１ｂ  吹出開口部
Ｍ２ａ、Ｍ２ｂ  吸気開口部
ＵＳ  上流側
ＬＳ  下流側
【図１】
2007071954.tif 000003
【図２】
2007071954.tif 000004
【図３】
2007071954.tif 000005
【図４】
2007071954.tif 000006
【図５】
2007071954.tif 000007
【図６】
2007071954.tif 000008
【図７】
2007071954.tif 000009
【図８】
2007071954.tif 000010
【図９】
2007071954.tif 000011